(57)【要約】【課題】  ネットワークを介して送信されるパケットを受信するネットワーク装置（画像処理装置）の消費電力を削減する。【解決手段】  ネットワークを介してホスト５００からパケットを受信する画像処理装置にタイマＩＣ１０７を備える。このタイマＩＣ１０７により、画像処理装置の通信制御部（イーサネット（登録商標）・トランシーバ１０２及びＡＳＩＣ１０３）への電力供給を制御する。上記タイマＩＣ１０７は上記電力を繰り返しＯＦＦ／ＯＮ制御することで、電力供給を間欠的に休止する。これによって、画像処理装置の消費電力を削減する。  【選択図】      図２
2009277057.tif 000002
【特許請求の範囲】
【請求項１】
ネットワークを介して外部機器と接続されるネットワーク機器であって、
前記外部機器との通信を行う通信制御部と、
前記通信制御部に供給する電力を繰り返しＯＦＦ／ＯＮ制御する電力制御手段と、を備えたことを特徴とするネットワーク機器。
【請求項２】
請求項１に記載されたネットワーク機器において、
ネットワーク機器の動作を制御する制御手段を備え、
所定期間前記外部機器からの送信信号を受信しないとき、省電力モードに移行させる手段を備えたことを特徴とするネットワーク機器。
【請求項３】
請求項１又は２に記載されたネットワーク機器において、
前記電力制御手段の前記電力のＯＦＦ／ＯＮ制御期間のうち、ＯＦＦ期間を前記外部機器からの信号送信から該信号の再送信までの送信間隔よりも短く設定したことを特徴とするネットワーク機器。
【請求項４】
請求項１ないし３のいずれかに記載されたネットワーク機器において、
前記電力制御手段は、外部機器からの送信信号の受信に基づいて前記電力のＯＦＦ／ＯＮ制御を停止し、前記通信制御部に供給する電力をＯＮにすることを特徴とするネットワーク機器。
【請求項５】
請求項１ないし３のいずれかに記載されたネットワーク機器において、
前記通信制御部に供給する電力のＯＮ期間が前記処理手段の外部機器からの送信信号の受信に基づく応答処理に必要な期間よりも長く設定されていることを特徴とするネットワーク機器。
【請求項６】
請求項４又は５に記載されたネットワーク機器において、
前記外部機器から送信される送信信号を所定の期間受信しなかったときは、前記電力制御手段は、前記電力のＯＦＦ／ＯＮ制御を再開することを特徴とするネットワーク機器。
【請求項７】
請求項１に記載されたネットワーク機器において、
前記電力制御手段はタイマＩＣ、又はネットワーク機器の動作を制御する制御手段、又は通信制御部を構成するＡＳＩＣのいずれかであることを特徴とするネットワーク機器。
【請求項８】
請求項２に記載されたネットワーク機器において、
省電力モードに移行時に前記制御手段の電源をＯＦＦする手段を備えたことを特徴とするネットワーク機器。
【請求項９】
ネットワークを介して外部機器と接続されるネットワーク機器であって、
前記外部機器との通信を行う通信制御部と、
ネットワーク機器の動作を制御する制御手段と、
前記通信制御部及び前記制御手段への電力供給を繰り返しＯＦＦ／ＯＮ制御する電力制御手段と、を備えたことを特徴とするネットワーク機器。
【請求項１０】
ネットワークを介して外部機器と接続されるネットワーク機器の電力制御方法であって、
前記外部機器との通信を行う通信制御部に供給する電力を繰り返しＯＦＦ／ＯＮ制御する電力制御工程、
を有することを特徴とするネットワーク機器の電力制御方法。
【請求項１１】
請求項１０に記載されたネットワーク機器の電力制御方法において、
所定期間前記外部機器からの送信信号を受信しないとき、省電力モードに移行させる工程を有することを特徴とするネットワーク機器の電力制御方法。
【発明の詳細な説明】
【技術分野】
【０００１】
本発明は、電力消費を抑制可能なネットワークに接続して用いるネットワーク機器及びネットワーク機器における電力制御方法に関する。
【背景技術】
【０００２】
近年、ネットワーク機器、例えば、ネットワークに接続して用いる画像処理装置では、電力コストを削減するため、消費電力を抑制することが求められている。とくに、画像処理装置が稼働していない待機時において消費される待機電力は無駄であり、電力の消費を極力抑えることが求められている。
そのため、画像処理装置では、例えば、画像を印字して出力を行う印字部をはじめとする各機能部の電力供給を停止する省電力モードを採用して、待機時における消費電力を抑制している。
【０００３】
一般に、商用ネットワーク等の通信媒体を介して外部装置であるホスト装置（以下単にホストという）と接続された画像処理装置においては、処理を依頼するホストから、何時処理情報等を含んだ信号（パケット）が送信されて来るか分からないため、省電力モードにおいてもホストとの情報の授受をいつでも行えるように待機電源がＯＮに設定されている。
即ち、省電力モードにおいてもホストとの情報授受ができるようにするために、上記の各機能部を制御するＣＰＵ（Central Processing Unit）の電力供給を停止させずに、画像処理装置を待機させている。
【０００４】
他方、省エネルギーモードにおいてＣＰＵへの電力供給を停止し、ＡＳＩＣ（Application Specific IC）を用いて、受信したパケットに基づいてＣＰＵへの電力供給を再開するか否かを判断し、必要に応じて電力供給を行うことができる画像処理装置が知られている（特許文献１参照）。
【０００５】
即ち、この画像処理装置のＡＳＩＣは、受信したパケットの内容が同装置の状態の問い合わせなど、単純な処理情報であれば単独で処理を実行し、印刷要求など複雑な処理情報であるときは、同装置のメインＣＰＵの電源を入れて、画像処理装置としてパケットに応答する。つまり、省電力モードにおける稼働装置は、ＡＳＩＣのみであるため、消費電力を削減することができる。
【０００６】
しかし、この画像処理装置においても、省電力モードにおいてＡＳＩＣには電力を供給し続けなければならないため、その分無駄な電力が消費されることになる。
また、それだけではなく、一般に負荷が軽いにも関わらず容量が大きい電源を用いることは、エネルギーロスなどが生じるため電源効率がよくないことが知られているが、ＡＳＩＣは負荷が軽いため、上記画像処理装置の省電力モードにおける消費電力は少ない。にもかかわらず容量の大きい電源から電力を供給するため電源効率がよくないという問題もある。
【０００７】
他方、省電力モード時の消費電力を削減するため、ファックス、コピー、プリンタなど複数の機能を備えたＭＦＰ（Multi Function Printer）において、装置本体の電力供給を、状況に応じて電源からの供給とホストＰＣからの供給とのいずれかに選択できるようにして行えるようにした画像処理装置も知られている（特許文献２参照）。
【０００８】
この画像処理装置は、上記特許文献１における電源効率の問題は解決し得る。しかし、ホストＰＣ側では、画像処理装置へ電力を供給する分消費電力が増加するため、ホストＰＣを含めた画像処理システム全体では消費電力の削減にはならない。
【特許文献１】特開２００５−９４６７９号公報
【特許文献２】特開２００５−２７８１１０号公報
【発明の開示】
【発明が解決しようとする課題】
【０００９】
本発明の目的は、上記従来の問題に鑑みてなされたものであって、画像処理装置の消費電力を削減し、しかも、いつ受信されるかわからないパケットを受信したときには、これに応答できるようにすることである。
【課題を解決するための手段】
【００１０】
請求項１の発明は、ネットワークを介して外部機器と接続されるネットワーク機器であって、前記外部機器との通信を行う通信制御部と、前記通信制御部に供給する電力を繰り返しＯＦＦ／ＯＮ制御する電力制御手段と、を備えたことを特徴とする。
請求項２の発明は、請求項１に記載されたネットワーク機器において、ネットワーク機器の動作を制御する制御手段を備え、所定期間前記外部機器からの送信信号を受信しないとき、省電力モードに移行させる手段を備えたことを特徴とする。
請求項３の発明は、請求項１又は２に記載されたネットワーク機器において、前記電力制御手段の前記電力のＯＦＦ／ＯＮ制御期間のうち、ＯＦＦ期間を前記外部機器からの信号送信から該信号の再送信までの送信間隔よりも短く設定したことを特徴とする。
請求項４の発明は、請求項１ないし３のいずれかに記載されたネットワーク機器において、前記電力制御手段は、外部機器からの送信信号の受信に基づいて前記電力のＯＦＦ／ＯＮ制御を停止し、前記通信制御部に供給する電力をＯＮにすることを特徴とする。
請求項５の発明は、請求項１ないし３のいずれかに記載されたネットワーク機器において、前記通信制御部に供給する電力のＯＮ期間が前記処理手段の外部機器からの送信信号の受信に基づく応答処理に必要な期間よりも長く設定されていることを特徴とする。
請求項６の発明は、請求項４又は５に記載されたネットワーク機器において、前記外部機器から送信される送信信号を所定の期間受信しなかったときは、前記電力制御手段は、前記電力のＯＦＦ／ＯＮ制御を再開することを特徴とする。
請求項７の発明は、請求項１に記載されたネットワーク機器において、前記電力制御手段はタイマＩＣ、又はネットワーク機器の動作を制御する制御手段、又は通信制御部を構成するＡＳＩＣのいずれかであることを特徴とする。
請求項８の発明は、請求項２に記載されたネットワーク機器において、省電力モードに移行時に前記制御手段の電源をＯＦＦする手段を備えたことを特徴とする。
請求項９の発明は、ネットワークを介して外部機器と接続されるネットワーク機器であって、前記外部機器との通信を行う通信制御部と、ネットワーク機器の動作を制御する制御手段と、前記通信制御部及び前記制御手段への電力供給を繰り返しＯＦＦ／ＯＮ制御する電力制御手段と、を備えたことを特徴とする。
請求項１０の発明は、ネットワークを介して外部機器と接続されるネットワーク機器の電力制御方法であって、前記外部機器との通信を行う通信制御部に供給する電力を繰り返しＯＦＦ／ＯＮ制御する電力制御工程、を有することを特徴とする。
請求項１１の発明は、請求項１０に記載されたネットワーク機器の電力制御方法において、所定期間前記外部機器からの送信信号を受信しないとき、省電力モードに移行させる工程、を有することを特徴とする。
【発明の効果】
【００１１】
本発明によれば、消費電力を削減でき、しかも、ネットワークを介して外部機器から送信信号を受信したときは、それに的確に応答することができる。
【発明を実施するための最良の形態】
【００１２】
本発明の画像処理装置について、添付した図面を参照して説明する。
図１は、本発明のネットワーク機器の１実施形態に係る画像処理装置の構成を概略的に示すブロック図である。
本画像処理装置は、画像処理装置の制御を行うコントローラ１００、コントローラ１００に接続された、それぞれ画像データを印字して出力するエンジン３００、ユーザが電源を入れるボタン操作を行う電源キー４０１、図示しない原稿を読み取る読み取り部において、原稿がセットされたのを検知する原稿セット検知部４０２及び同読み取り部において、原稿台の圧板の開閉を検知する圧板開閉検知部４０３、コントローラ１００とエンジン３００に電力を供給するＰＳＵ（Power Supply Unit）２００、ＰＳＵ２００のＡＣ電源のスイッチである主電源スイッチ２１０、及びコントローラ１００にネットワークを介して接続された複数のホスト（ＨＯＳＴ）５００から成っている。
ここで、エンジン３００は、例えば、感光ドラムに静電潜像を生成し、トナーを付着させて紙に転写する従来のレーザプリンタエンジンである。
【００１３】
以上の構成において、コントローラ１００は、画像処理装置が所定の時間稼働せずに待機した場合、ＰＳＵ２００にエンジン電源ＯＦＦ制御信号を送信し、エンジン電源をＯＦＦにする、つまり、省電力モードに移行する。
ここで、省電力モードとは、例えば図１に示す画像処理装置において、エンジン３００等の電源がＯＦＦであるが、コントローラ１００は、電源キー４０１，原稿セット検知部４０２，読取部の圧板開閉の検知部４０３からのトリガ信号が受信可能であり、ホスト５００からのパケット信号の受信が可能であり、また、コントローラ１００からのエンジン電源ＯＦＦ／ＯＮ（ＯＦＦ又はＯＮの意、以下同じ）制御信号によりＰＳＵ２００のエンジン電源をＯＮにすることができる状態をいう。
【００１４】
例えば、コントローラ１００は、ホスト５００から印刷命令を受信すると、ＰＳＵ２００に対してエンジン電源をＯＮする命令を出し、受信した画像データをエンジン３００に送る。エンジン３００は、受信した画像データに基づいて印字出力をする。
以上の構成は、コントローラ１００の内部構成を除き以下で説明する各実施形態に共通である。
【００１５】
（第１の実施形態）
次に、本発明の第１の実施形態に係る画像処理装置について説明する。
図２は、第１の実施形態に係る画像処理装置のコントローラ１００の構成を示すブロック図である。
本画像処理装置のコントローラ１００は、ホスト５００からネットワークを介して受信した画像データの処理等を行う制御手段であるＣＰＵ１０１、パケットの送受信を行う送受信機であるイーサネット（登録商標）・トランシーバ（Ｅｔｈｅｒｎｅｔ（登録商標） Ｔｒａｎｓｃｅｉｖｅｒ）１０２、イーサネット（登録商標）・トランシーバ１０２の制御を行うＡＳＩＣ１０３、ＣＰＵ１０１に電力を供給する電源Ａ１０４、ＡＳＩＣ１０３に電力を供給する電源Ｂ１０５、イーサネット（登録商標）・トランシーバ１０２に電力を供給する電源Ｃ１０６、所定のタイミング（ここでは、タイミングとは、前記各電源のＯＦＦからＯＮへ、またＯＮからＯＦＦへの切り換えるタイミングをいう）で電源Ｂ１０５および、電源Ｃ１０６の出力電圧を繰り返しＯＦＦ／ＯＮ制御するタイマＩＣ（Integrated Circuit）１０７、タイマＩＣ１０７に電力を供給する電源Ｄ１０８、図示しない記憶装置、メモリから成る。
【００１６】
ホスト５００は、通信媒体であるネットワークを介してコントローラ１００に接続され、印刷や画像蓄積、状態通知などを要求する。ここで、通信媒体としては、ＵＳＢ、無線ＬＡＮ（Local Area Network）、２．４ＧＨｚ帯を使ったワイヤレス通信の規格であるＢｌｕｅｔｏｏｔｈ(登録商標)、プリンタなどの接続に用いられるパラレル・インターフェースの標準規格であるＩＥＥＥ１２８４、次世代の高速なＳＣＳＩ（Small Computer System Interface）規格であるＩＥＥＥ１３９４などを用いることができる。
【００１７】
ここで、ＡＳＩＣ１０３とイーサネット（登録商標）・トランシーバ１０２は、本画像処理装置の通信媒体を介してホスト５００と信号の交信を行うための通信制御部を構成している。
ＡＳＩＣ１０３は、イーサネット（登録商標）・トランシーバ１０２における送受信タイミング、送信出力などの制御を行うネットワークコントローラやＣＰＵ１０１とのＩ／Ｆ部などを備えており、画像処理等を行うための通信を制御する。
【００１８】
タイマＩＣ１０７は、ＣＰＵ１０１からのイネーブル信号を受けて作動し、所定のタイミングで上記電源Ｂ１０５、電源Ｃ１０６のイネーブル（Ｅｎａｂｌｅ）信号をアサート／ネゲートする。即ち、タイマＩＣ１０７は、イーサネット（登録商標）・トランシーバ１０２およびＡＳＩＣ１０３の電源Ｂ１０５、電源Ｃ１０６の出力電圧を所定のタイミングで繰り返しＯＦＦ／ＯＮ制御する。
これは、従来のネットワーク等の通信手段の制御部の電源は常にＯＮであり、その分電力を消費したのを、通信制御部の電源を所定のタイミングで繰り返しＯＦＦ／ＯＮの切り替えを行うことでその消費電力を抑制するために採用した構成である。
【００１９】
次に、本画像処理装置の省電力モード時における電源の制御について説明する。
本実施形態においては、電源Ａ１０４および電源Ｄ１０８は、それぞれＣＰＵ１０１とタイマＩＣ１０７に常に電力を供給している。
コントローラ１００のタイマＩＣ１０７は、所定のタイミングで上記電源Ｂ１０５、電源Ｃ１０６の出力電圧のアサート／ネゲートを繰り返し、ＡＳＩＣ１０３とイーサネット（登録商標）・トランシーバ１０２の電力を所定のタイミングで繰り返しＯＦＦ／ＯＮ制御する。
【００２０】
従って、タイマＩＣ１０７の制御により電源Ｂ１０５および電源Ｃ１０６がＯＦＦであるときは、ホスト５００が画像処理装置のコントローラ１００に送信信号であるパケットを送信しても、コントローラ１００は、イーサネット（登録商標）・トランシーバ１０２およびＡＳＩＣ１０３に電力が供給されていないため、そのパケットを受信できない。
ホスト５００は、送信したパケットが受信されないとき、つまり送信後所定時間経過内にコントローラ１００側から当該パケットに対する応答信号が得られないとき、コントローラ１００にパケットを再送する。
この場合、上述のようにタイマＩＣ１０７は、所定のタイミングで上記電源Ｂ１０５、電源Ｃ１０６を制御してその出力電圧のアサート／ネゲートを繰り返しているので、上記電源Ｂ１０５、電源Ｃ１０６の出力電圧がアサート即ちＯＮとなったとき、コントローラ１００は、再送されたパケットを受信することができる。省電力モード時において、ホスト５００からのパケットを受信したときは、ＣＰＵ１０１は、エンジン電源ＯＦＦ／ＯＮ制御信号によりＰＳＵ２００のエンジン電源をＯＮにする。
【００２１】
このように本画像処理装置は、イーサネット（登録商標）・トランシーバ１０２およびＡＳＩＣ１０３の電源の出力電圧を所定のタイミングで繰り返しＯＦＦ／ＯＮ制御するため、ＯＦＦ期間の分だけ待機電力を削減することができる。
【００２２】
（第２の実施形態）
第２の実施形態に係る画像処理装置は、上記タイマＩＣ１０７が上記電源Ｂ１０５、電源Ｃ１０６を制御する場合に、これらの電源をＯＦＦする期間を調整可能にしたものである。この期間の調整が可能な点以外は、第１の実施形態と同じである。以下、このＯＦＦ期間の調整について説明する。
【００２３】
図３は、通信制御部の電源（イーサネット（登録商標）・トランシーバ１０２およびＡＳＩＣ１０３の電源Ｂ１０５、電源Ｃ１０６）のＯＦＦ／ＯＮ制御とホスト５００からパケットが受信されるタイミングとの関係を示す図である。
上述の通り、タイマＩＣ１０７は、イーサネット（登録商標）・トランシーバ１０２およびＡＳＩＣ１０３の電源Ｂ１０５、電源Ｃ１０６を所定のタイミングでＯＦＦ／ＯＮ制御する。そのＯＦＦする期間をＴ１、コントローラ１００がパケットを受信することが不能な期間（受信不能期間）をＴ３、ホスト５００のパケット再送期間（間隔）をＴ２とする。
ここで、パケットの受信不能期間Ｔ３は、図示するようにイーサネット（登録商標）・トランシーバ１０２およびＡＳＩＣ１０３の電源Ｂ１０５、電源Ｃ１０６をＯＦＦにする期間Ｔ１に、イーサネット（登録商標）・トランシーバ１０２およびＡＳＩＣ１０３のリセットおよび初期化に要する時間Ｔ４を加えた期間である。
本画像処理装置は、再送期間Ｔ２（つまり、最初にパケットを送信してから次にパケットを送信するまでの期間）よりも受信不能期間Ｔ３を短くすることで、ホスト５００の再送したパケットを必ず受信できるようにして、再送に要する無駄な時間を短縮している。
【００２４】
（第３の実施形態）
第１の実施形態および第２の実施形態の画像処理装置においては、ホスト５００からネットワークを介して送信した画像データが一旦受信された後も、イーサネット（登録商標）・トランシーバ１０２およびＡＳＩＣ１０３の電源Ｂ１０５、電源Ｃ１０６を所定のタイミングで繰り返しＯＦＦ／ＯＮ制御すると、パケットの応答信号を返信する前に、イーサネット（登録商標）・トランシーバ１０２およびＡＳＩＣ１０３の電源Ｂ１０５、電源Ｃ１０６がＯＦＦになることがあり、そのような場合には、パケット受信に対する応答信号を送信することができないから、ホスト５００側ではパケットデータを再送することになる。従って、パケットデータの再送が増えて、データ転送レートが低下する。
そこで、第３の実施形態に係る画像処理装置では、画像データが受信されたときは、タイマＩＣ１０７によるイーサネット（登録商標）・トランシーバ１０２およびＡＳＩＣ１０３の電源Ｂ１０５、電源Ｃ１０６を所定のタイミングで繰り返しＯＦＦ／ＯＮする制御を停止するようにしている。
なお本画像処理装置のコントローラ１００の構成は、第１の実施形態と同じ構成である。
【００２５】
図４は、本画像処理装置において、ホスト５００からパケットを受信したときのＣＰＵ１０１の処理の手順を示したフロー図である。
ＣＰＵ１０１は、イーサネット（登録商標）・トランシーバ１０２およびＡＳＩＣ１０３を介してホスト５００からパケットを受信すると（Ｓ１０１；ＹＥＳ）、そのパケットの応答信号を送信する前に、イーサネット（登録商標）・トランシーバ１０２およびＡＳＩＣ１０３の電源Ｂ１０５、電源Ｃ１０６をＯＦＦする処理を停止して（Ｓ１０２）、ＣＰＵ１０１は、受信したパケットに基づいて処理を開始する（Ｓ１０３）。つまり、ＣＰＵ１０１は、パケット受信後、タイマＩＣ１０７にイネーブル信号をネゲートさせることにより、ＡＳＩＣ１０３とイーサネット（登録商標）・トランシーバ１０２にそれぞれ電力を供給する上記電源Ｂ１０５、電源Ｃ１０６の出力電源を常にＯＮにする。
このように、ＣＰＵ１０１がパケットを受信したときに、上記電源Ｂ１０５、電源Ｃ１０６を繰り返しＯＦＦ／ＯＮする制御を停止することによって、データ転送レートが低下することなく画像データを受信できる。
【００２６】
（第４の実施形態）
第３の実施形態に示した画像処理装置において、イーサネット（登録商標）・トランシーバ１０２およびＡＳＩＣ１０３の電源Ｂ１０５、電源Ｃ１０６がＯＮである期間が短いと、ＣＰＵ１０１がイーサネット（登録商標）・トランシーバ１０２およびＡＳＩＣ１０３の電源Ｂ１０５、電源Ｃ１０６をＯＦＦする処理を完了する時間がとれず（即ち、その前に電源Ｂ１０５、電源Ｃ１０６がＯＦＦしてしまう）、したがって、前記イーサネット（登録商標）・トランシーバ１０２およびＡＳＩＣ１０３の電源をＯＦＦする処理を停止することができないが、第４の実施形態に係る画像処理装置は、電源ＯＮの期間を調整し、イーサネット（登録商標）・トランシーバ１０２およびＡＳＩＣ１０３のＢ１０５、電源Ｃ１０６をＯＦＦする処理を停止できるようにしている。
【００２７】
本画像処理装置のコントローラ１００において行うパケットの受信と電源の制御のタイミングについて説明する。
本画像処理装置のコントローラ１００の構成は、第１の実施形態と同じ構成である。
図５は、通信制御部の電源（イーサネット（登録商標）・トランシーバ１０２およびＡＳＩＣ１０３の電源Ｂ１０５、電源Ｃ１０６）のＯＦＦ／ＯＮ時において、ＯＮ期間を長く調整したときのパケットの受信タイミングを示す図である。
【００２８】
本画像処理装置では、イーサネット（登録商標）・トランシーバ１０２およびＡＳＩＣ１０３の電源Ｂ１０５、電源Ｃ１０６を所定のタイミングでＯＦＦ／ＯＮするが、そのＯＮする期間をＴ５、パケットの処理に必要な期間をＴ６、パケットを受信することが可能な期間をＴ７とする。
【００２９】
ここで、パケットの処理に必要な期間Ｔ６は、図４に示したフロー図におけるパケット受信ステップＳ１０１と、イーサネット（登録商標）・トランシーバ１０２およびＡＳＩＣ１０３の電源をＯＦＦする処理の停止ステップＳ１０２の処理をＣＰＵ１０１が実施するために必要な期間（時間）である。
本画像処理装置は、パケットを受信することが可能な期間Ｔ７をパケットの処理に必要な期間Ｔ６よりも十分長くし、ホスト５００からパケットを受信した後、ＣＰＵ１０１によってイーサネット（登録商標）・トランシーバ１０２およびＡＳＩＣ１０３の電源を所定のタイミングで繰り返しＯＦＦ／ＯＮする処理を停止できるため、受信したパケットに応じた処理が可能である。
【００３０】
（第５の実施形態）
第３の実施形態と第４の実施形態の画像処理装置では、パケットを受信したときにイーサネット（登録商標）・トランシーバ１０２およびＡＳＩＣ１０３の電源Ｂ１０５、電源Ｃ１０６をＯＦＦする処理を停止した後、パケットを受信しないのにそのままＯＮにしている。したがって、その分の電力が無駄になるが、第５の実施形態の画像処理装置は、所定期間パケットを受信しないときは、上記電源Ｂ１０５、電源Ｃ１０６を繰り返しＯＦＦ／ＯＮする処理を再開するようにしている。
【００３１】
本画像処理装置のコントローラ１００の構成は、第１の実施形態と同じ構成である。
図６は、通信制御部（イーサネット（登録商標）・トランシーバ１０２およびＡＳＩＣ１０３）における繰り返して行うＯＦＦ／ＯＮ制御の停止及び再開を説明するための図である。
図４に示した制御と同様に、ＣＰＵ１０１は、パケットを受信したときイーサネット（登録商標）・トランシーバ１０２およびＡＳＩＣ１０３の電源Ｂ１０５、電源Ｃ１０６を所定のタイミングでＯＦＦする制御を停止する。
【００３２】
上記所定期間をＴ８とし、Ｔ８を経過してパケットが受信されなければ、ＣＰＵ１０１は、タイマＩＣ１０７に再びイーサネット（登録商標）・トランシーバ１０２およびＡＳＩＣ１０３の上記電源Ｂ１０５、電源Ｃ１０６を所定のタイミングで繰り返しＯＦＦ／ＯＮする制御を開始させる。
また、イーサネット（登録商標）・トランシーバ１０２およびＡＳＩＣ１０３の上記電源Ｂ１０５、電源Ｃ１０６を所定のタイミングで繰り返しＯＦＦ／ＯＮする処理を再開するまでの期間Ｔ８は、固定値でもよいが、ユーザが任意に決めることもでき、夜間と日中等の条件の差で異なる値とすることもできる。
【００３３】
このように、本画像処理装置は、所定の期間を経過してもパケットが受信されないときは、イーサネット（登録商標）・トランシーバ１０２およびＡＳＩＣ１０３の上記電源Ｂ１０５、電源Ｃ１０６を所定のタイミングで繰り返しＯＦＦ／ＯＮすることにより、ＯＦＦしているときの分だけ電力を削減できる。
【００３４】
（第６の実施形態）
第1の実施形態から第５の実施形態の画像処理装置では、ＣＰＵ１０１の電源を常にＯＮしているためその分の電力を消費するが、第６の実施形態に係る画像処理装置のＡＳＩＣ１０３は、省電力モードにおいてＣＰＵ１０１の電源を常にＯＦＦする。
【００３５】
図７は、第６の実施形態の画像処理装置におけるコントローラ１００の構成を示すブロック図である。
本画像処理装置は、図１に示した構成とは異なり、ＡＳＩＣ１０３がタイマＩＣ１０７の制御を行い、省電力モード時においてＣＰＵ１０１の電源を繰り返しＯＦＦ／ＯＮにする制御を行う。
【００３６】
本実施形態の画像処理装置において、ＡＳＩＣ１０３は、図４に示したＣＰＵ１０１の判断処理と同様に、マスタ５００からネットワークを介して送信されたパケットを、イーサネット（登録商標）・トランシーバ１０２を介して受信すると、上記電源Ｂ１０５、電源Ｃ１０６の出力電圧を常にＯＮにする。
その後、ＡＳＩＣ１０３は、ＣＰＵ１０１に電力を供給する電源Ａ１０４のイネーブル信号をアサートし、ＣＰＵ１０１の電源をＯＮとする。
【００３７】
ＣＰＵ１０１は電源Ａ１０４がＯＮになった後は、パケットの応答処理を行うため、ＡＳＩＣ１０３は全てのパケットに応答できるようにする必要はなく、ＣＰＵ１０１の電源をＯＦＦしている期間に受信する可能性のあるパケットのみに応答できればよい。
また、ＣＰＵ１０１は、図示しないメモリに電源が切断される前の状態を保存し、復帰後にこれを読みだして素早く復帰するＳＴＲ（Suspend to RAM）に対応していることが望ましい。
このように、本画像処理装置は、省電力モード時において、マスタ５００からのパケットを受信しないときはＣＰＵ１０１の電源を常にＯＦＦするため、その分の消費電力も削減できる。
【００３８】
（第７の実施形態）
第７の実施形態に係る画像処理装置では、そのタイマＩＣ１０７がＣＰＵ１０１の電源を所定のタイミングで繰り返しＯＦＦ／ＯＮ制御するようにしている。
図８は、第７の実施形態の画像処理装置におけるコントローラ１００の構成を示すブロック図である。
本画像処理装置においては、図１および、図７に示した構成とは異なり、省電力モード時においてタイマＩＣ１０７が、ＡＳＩＣ１０３とイーサネット（登録商標）・トランシーバ１０２の電源Ｂ１０５、電源Ｃ１０６を繰り返しＯＦＦ／ＯＮするタイミングでＣＰＵ１０１の電源も同時にＯＦＦ／ＯＮする。
つまり、タイマＩＣ１０７が上記電源Ａ１０４、電源Ｂ１０５、電源Ｃ１０６のイネーブル信号を同時に制御する。
また、第６の実施形態と同様にＣＰＵ１０１はＳＴＲに対応していることが望ましい。
このように、本画像処理装置は、ＣＰＵ１０１の電源を所定のタイミングで繰り返しＯＦＦ／ＯＮ制御するため、ＯＦＦしているときの分だけ電力を削減できる。
【００３９】
（第８の実施形態）
ホスト５００から受信したパケットの処理をＣＰＵ１０１で実施するため、ＣＰＵ１０１の電源を入れておく必要がある。そこで、第８の実施形態に係る画像処理装置では、イーサネット（登録商標）・トランシーバ１０２およびＡＳＩＣ１０３のＢ１０５、電源Ｃ１０６を繰り返しＯＦＦ／ＯＮ制御する電力制御手段であるタイマを常時電源がＯＮのＣＰＵ１０１に備えられている。
【００４０】
図９は、第８の実施形態の画像処理装置におけるコントローラ１００を示すブロック図である。
本画像処理装置では、図１、図７、図８に示した構成とは異なり、ＣＰＵ１０１がタイマ１０１ａを備えておりそれ自身が電力制御手段を構成している。省電力モードおいてＣＰＵ１０１が、そのタイマ１０１ａに基づいて上記電源Ｂ１０５、電源Ｃ１０６のイネーブル信号を所定のタイミングでアサート／ネゲートすることで、イーサネット（登録商標）・トランシーバ１０２の上記電源Ｂ１０５、電源Ｃ１０６を所定のタイミングで繰り返しＯＦＦ／ＯＮする。
電源の繰り返しＯＦＦ／ＯＮ制御するタイミング（ＯＦＦ／ＯＮのタイミング）は、ＣＰＵ１０１のレジスタ設定により変更可能である。
【００４１】
（第９の実施形態）
図１０は、第９の実施形態の画像処理装置のコントローラ１００の構成を示すブロック図である。
本画像処理装置のコントローラ１００の構成は、図２に示す画像処理装置におけるコントローラ１００のタイマＩＣ１０７の代わりに、ＡＳＩＣ１０３にタイマ１０３ａを設け、このタイマ１０３ａに電力を供給する電源Ｅ１０９を備える。
【００４２】
即ち、ＡＳＩＣ１０３は本願発明の電源制御手段をも構成している。
したがって、第９の実施形態のＡＳＩＣ１０３は、タイマ１０３ａが独立した常にＯＮである電源から電力が供給されるため、ＡＳＩＣ１０３とイーサネット（登録商標）・トランシーバ１０２に電力を供給する電源Ｂ１０５、電源Ｃ１０６のイネーブル信号を制御し、出力電圧を繰り返しＯＦＦ／ＯＮ制御することができる。
【００４３】
（第１０の実施形態）
第１０の実施形態に係る画像処理装置のコントローラ１００のＡＳＩＣ１０３は、第９の実施形態と同様にＡＳＩＣ１０に、上記タイマＩＣ１０７の機能をタイマ１０３ａとして組み込んだものである。
図１１は、第１０の実施形態の画像処理装置のコントローラ１００の構成を示すブロック図である。
本画像処理装置のコントローラ１００の構成は、図７に示す画像処理装置におけるコントローラ１００のタイマＩＣ１０７の代わりに、ＡＳＩＣ１０３にタイマ１０３ａを設け、このタイマ１０３ａに電力を供給する電源Ｅ１０９を備える。
【００４４】
（第１１の実施形態）
第１１の実施形態に係る画像処理装置のコントローラ１００のＡＳＩＣ１０３は、第９の実施形態および、第１０の実施形態と同様にＡＳＩＣ１０３にタイマ１０３ａを組み込んだものである。
図１２は、第１１の実施形態の画像処理装置のコントローラ１００の構成を示すブロック図である。
本画像処理装置のコントローラ１００の構成は、図８に示す画像処理装置におけるコントローラ１００のタイマＩＣ１０７の代わりに、ＡＳＩＣ１０３にタイマ１０３ａを設け、このタイマ１０３ａに電力を供給する電源Ｅ１０９を備える。
【図面の簡単な説明】
【００４５】
【図１】本発明のネットワーク機器の１実施形態である画像処理装置の構成を概略的に示すブロック図である。
【図２】第１の実施形態の画像処理装置のコントローラの構成を示すブロック図である。
【図３】通信制御部の電源のＯＦＦ／ＯＮ制御と、ホストからのパケットが受信されるタイミングとの関係を示す図である。
【図４】ホストからパケットを受信したときのＣＰＵの処理の手順を示したフロー図である。
【図５】通信制御部の電源のＯＦＦ／ＯＮ制御時において、ＯＮ期間を長く調整したときのパケットの受信タイミングを示す図である。
【図６】通信制御部における繰り返して行うＯＦＦ／ＯＮ制御の停止及び再開を説明するための図である。
【図７】第６の実施形態の画像処理装置のコントローラの構成を示すブロック図である。
【図８】第７の実施形態の画像処理装置のコントローラの構成を示すブロック図である。
【図９】第８の実施形態の画像処理装置のコントローラの構成を示すブロック図である。
【図１０】第９の実施形態の画像処理装置のコントローラの構成を示すブロック図である。
【図１１】第１０の実施形態の画像処理装置のコントローラの構成を示すブロック図である。
【図１２】第１１の実施形態の画像処理装置のコントローラの構成を示すブロック図である。
【符号の説明】
【００４６】
１００・・・コントローラ、１０１・・・ＣＰＵ、１０２・・・イーサネット（登録商標）・トランシーバ、１０３・・・ＡＳＩＣ、１０４・・・電源Ａ、１０５・・・電源Ｂ、１０６・・・電源Ｃ、１０７・・・タイマＩＣ、１０８・・・電源Ｄ、１０９・・・電源Ｅ、２００・・・ＰＳＵ、２１０・・・主電源スイッチ、３００・・・エンジン、４０１・・・電源キー、４０２・・・原稿セット検知部、４０３・・・圧板開閉検知部、５００・・・ＨＯＳＴ。
【図１】
2009277057.tif 000003
【図２】
2009277057.tif 000004
【図３】
2009277057.tif 000005
【図４】
2009277057.tif 000006
【図５】
2009277057.tif 000007
【図６】
2009277057.tif 000008
【図７】
2009277057.tif 000009
【図８】
2009277057.tif 000010
【図９】
2009277057.tif 000011
【図１０】
2009277057.tif 000012
【図１１】
2009277057.tif 000013
【図１２】
2009277057.tif 000014